(57)【特許請求の範囲】
【請求項１】
長手方向の端面同士を突き合わせて隣接配置される軒樋を備え、これら両軒樋は、前壁の上縁から前側に突出した突出片部と、この突出片部の前縁から立ち上げられて前面が軒樋の前面上端部を構成する立上片部と、この立上片部の上縁から後側に突出した掛止部を有し、
前記両軒樋の端部内側に嵌め込まれて当該両軒樋の長手方向の端部同士を連結するための継手を備え、この継手は、前記両軒樋の前壁の内面に沿う前面部と、この前面部の上縁から前側に突出して前記突出片部上に配置される溝底面構成部と、この溝底面構成部の前縁よりも後方位置から上側に突出した溝後面構成部と、この溝後面構成部の上縁から突出して前記軒樋の掛止部に掛止される被掛止部を有し、
前記両軒樋の立上片部は前記継手の溝底面構成部よりも上方に突出し、前記隣接する両軒樋の長手方向の端部における立上片部により溝前面構成部が構成され、前記継手の溝後面構成部が前記溝前面構成部の後側に隙間を介して配置され、前記溝前面構成部において前記両軒樋の立上片部間の境目の後側は、下端部のみが前記継手の溝底面構成部により覆われると共に前記溝底面構成部よりも上方に突出した部分全体が露出し、前記溝前面構成部、溝後面構成部、及び溝底面構成部により、溝前面、溝後面、及び溝底面の夫々が構成された排水溝が形成され、この排水溝の両端が前記継手の軒樋長手方向における両端部から開口したことを特徴とする軒樋の連結構造。
【請求項２】
前記溝底面構成部が、前記継手の前面部の上縁から前側に突出して前記突出片部上に配置される突片部と、この突片部の前縁から前記両軒樋の立上片部の下端部内面に沿って立ち上がる堰部とで構成され、前記溝後面構成部が前記突片部の堰部よりも後方位置から上側に突出したことを特徴とする請求項１に記載の軒樋の連結構造。
【発明の詳細な説明】
【技術分野】
【０００１】
本発明は継手により軒樋の端部同士を接続する軒樋の連結構造に関する。
【背景技術】
【０００２】
従来から長手方向に隣接配置される軒樋を接続するための継手が利用されており、例えば特許文献１には、長手方向の端面同士を突き合わせて隣接配置される軒樋の端部同士を接続する継手が開示されている。この継手は前記両軒樋の端部内側に嵌め込まれて当該両軒樋の長手方向の端部同士を連結する内継手であり、外観上継手が視認され難く見栄えがよい。
【先行技術文献】
【特許文献】
【０００３】
【特許文献１】特開２００５−１４６７１６号公報
【発明の概要】
【発明が解決しようとする課題】
【０００４】
ところで、軒樋の屋外側に配置される前面部分は屋根よりも屋外側に配置されるため雨水がかかりやすく、特に前壁の上端部は雨水がかかりやすい箇所となっている。このため、軒樋が前記のように長手方向の端面同士を突き合わせて連結されるものであると、軒樋の前面上端部の突き合わせ面から雨水が浸入する場合がある。ここで、両軒樋の前面部上端部の突き合わせ端部の内面に継手の外面が沿っていると、この間に前記侵入した雨水が溜まり、この雨水が雨が止んだ後に両軒樋の前壁の突き合わせ面を介して前面に染み出す可能性がある。そして、この雨水が軒樋の前面で乾くと、雨水に含まれるごみ等が軒樋の前面に付着し、軒樋の外観を低下させる恐れがある。
【０００５】
この点、特許文献１では、軒樋の前壁の上端部に上下に断面中空筒状の筒状部を有する前耳が形成され、この前耳に内側の継手との間に隙間を形成するための溝が形成され、前記隙間を介して侵入した雨水を軒樋内側に排出する構造になっている。よって、前記侵入した雨水は、両軒樋の前壁上部の突き合わせ端部の内面と継手の外面の間に比較的溜まり難いと言える。
【０００６】
しかし、特許文献１の軒樋の前壁上端部に形成された前耳は断面中空筒状の筒状部を有するため、前記侵入した雨水が筒状部内に溜まり、この雨水が両軒樋の前壁の突き合わせ面を介して軒樋の前面側に染み出す恐れがある。
【０００７】
また、前記侵入した雨水が前記隙間に至る前に筒状部内に侵入することも考えられ、この場合、前記隙間を軒樋内側に排水するために有効に利用することができない。さらには前記前耳は中空筒状の筒状部を有するため、前記隙間を十分に排水できる大きさにすることが設計上難しい場合も考えられ、これらの点からも雨水が前壁の外面に染み出しやすいといえる。
【０００８】
本発明は前記事情に鑑みてなされたものであって、雨水に含まれるごみ等が軒樋の前面に付着して外観が低下することをより確実に防止できる軒樋の連結構造を提供することを課題とする。
【課題を解決するための手段】
【０００９】
前記課題を解決するために本発明の軒樋の連結構造は、長手方向の端面同士を突き合わせて隣接配置される軒樋を備え、これら両軒樋は、前壁の上縁から前側に突出した突出片部と、この突出片部の前縁から立ち上げられて前面が軒樋の前面上端部を構成する立上片部と、この立上片部の上縁から後側に突出した掛止部を有し、前記両軒樋の端部内側に嵌め込まれて当該両軒樋の長手方向の端部同士を連結するための継手を備え、この継手は、前記両軒樋の前壁の内面に沿う前面部と、この前面部の上縁から前側に突出して前記突出片部上に配置される溝底面構成部と、この溝底面構成部の前縁よりも後方位置から上側に突出した溝後面構成部と、この溝後面構成部の上縁から突出して前記軒樋の掛止部に掛止される被掛止部を有し、前記両軒樋の立上片部は前記継手の溝底面構成部よりも上方に突出し、前記隣接する両軒樋の長手方向の端部における立上片部により溝前面構成部が構成され、前記継手の溝後面構成部が前記溝前面構成部の後側に隙間を介して配置され、前記溝前面構成部において前記両軒樋の立上片部間の境目の後側は、下端部のみが前記継手の溝底面構成部により覆われると共に前記溝底面構成部よりも上方に突出した部分全体が露出し、前記溝前面構成部、溝後面構成部、及び溝底面構成部により、溝前面、溝後面、及び溝底面の夫々が構成された排水溝が形成され、この排水溝の両端が前記継手の軒樋長手方向における両端部から開口したことを特徴とする。
【００１０】
また、前記溝底面構成部が、前記継手の前面部の上縁から前側に突出して前記突出片部上に配置される突片部と、この突片部の前縁から前記両軒樋の立上片部の下端部内面に沿って立ち上がる堰部とで構成され、前記溝後面構成部が前記突片部の堰部よりも後方位置から上側に突出することが好ましい。
【発明の効果】
【００１１】
本発明にあっては、雨水に含まれるごみ等が軒樋の前面に付着して外観が低下することを効果的に防止できる。
【図面の簡単な説明】
【００１２】
【図１】第一実施形態の軒樋の連結構造を示し、軒樋の突き合わせ端面における側面断面図である。
【図２】同上の軒樋の突出片部前端部を示す側面図である。
【図３】同上の軒樋を支持具で支持した状態を示す側面断面図である。
【図４】同上の継手の斜視図である。
【図５】（ａ）〜（ｄ）は継手の軒樋への取り付け方法を順に示す説明図である。
【図６】第二実施形態の軒樋の連結構造を示し、軒樋の突き合わせ端面における側面断面図である。
【図７】同上の継手の斜視図である。
【発明を実施するための形態】
【００１３】
以下、本発明を添付図面に基づいて説明する。
【００１４】
（第一実施形態）
図１に示される本実施形態の軒樋の連結構造では、長手方向の端面同士を突き合わせて隣接配置される軒樋１と、両軒樋１の端部内側に嵌め込まれて両軒樋１の長手方向の端部同士を連結するための継手２が用いられる。なお、以下の説明では施工状態における方向を基準に説明し、軒樋１の屋外側を前方、建物側を後方として説明する。
【００１５】
両軒樋１は、長さ寸法は異なるものであってもよいが、その他の構成は同一である。図３に示されるように、軒樋１は断面が上方に開口する溝形に形成されており、その断面形状は長手方向の全長に亘って同一である。軒樋１は、底部３と、底部３の後縁から立ち上げられた後壁５と、底部３の前縁から立ち上げられた前壁４を有している。また、軒樋１は、前壁４の上縁から前側に突出した突出片部６と、突出片部６の前縁から立ち上げられた立上片部７と、立上片部７の上縁から後側に突出した掛止部８を有している。
【００１６】
後壁５は、水平な底部３に対して垂直に立ち上げられ、後壁５の上縁部には後側掛止部が形成されている。この後側掛止部は後壁５から前方に突出した中空筒状の後耳部９からなり、後耳部９の前端部には下方に突出する突起１０が形成され、突起１０とこの後方の後壁５の間には下方に開口する嵌込溝１１が形成されている。
【００１７】
前壁４は下方に行く程後方に位置するように傾斜している。突出片部６も前壁４程ではないが、後方に向かって僅かに下り傾斜しており、これにより突出片部６の上面には底部３側にスムーズに雨水を導けるよう水勾配がつけられている。立上片部７は中実片状であって中空部を有していない。この立上片部７は、突出片部６の前縁から後斜め上方に突出し、後壁５よりも上方に突出している。この立上片部７の前面は軒樋１の前面上端部を構成し、これよりも下方の軒樋１の前面は前壁４の前面によって構成されている。図２に示されるように、突出片部６の下面前縁には下方に突出する水切部１３が形成されており、立上片部７の前面を伝って下方に流下した雨水を水切部１３により水切りして、突出片部６の下面側に雨水が流れることを防止している。なお、図２に図示された立上片部７の前面及び突出片部６の下面に形成された水切部１３以外の突起は、軒樋１外面に模様を付すために設けられたものである。
【００１８】
図３のように、掛止部８は、立上片部７の上縁から後側に突出する突状片部１４と、突状片部１４の後縁から下側に突出する垂片部１５と、垂片部１５の下部から前側に突出する中空筒状の前耳部１６とで構成され、突出片部６の上方に位置している。
【００１９】
突状片部１４は後下がりで傾斜し、垂片部１５は下方程前方に位置するように傾斜している。前耳部１６の上下の面部は前方程下方に位置するように傾斜している。
【００２０】
両軒樋１は、底部３、後壁５、前壁４、突出片部６、立上片部７、及び掛止部８の夫々の端面同士を突き合わせて隣接配置される。なお、これら端面同士は外部から雨水が浸入しないよう接着剤で接着してもよい。
【００２１】
このように隣接配置された両軒樋１は、図３に示されるように他方の軒樋１側の端部を除く長手方向の適宜箇所が支持具１２により支持される。支持具１２は、軒先の鼻板１７（図５参照）に釘等の固着具１８（図５参照）を用いて取り付けられて、鼻板１７の前面を覆う鼻板カバー２２に沿う被取付板部１９と、被取付板部１９から前側に突出する樋支持部２０とで構成されている。
【００２２】
樋支持部２０は、後端部に後耳保持部２１が形成されると共に前端部に前耳保持部２３が形成されている。樋支持部２０は、後耳保持部２１により軒樋１の後耳部９を保持し且つ前耳保持部２３により軒樋１の前耳部１６を保持し、これにより軒樋１を支持する。
【００２３】
図４に示されるように、継手２は、底面部２５と、底面部２５の後縁から立ち上げられた後面部２７と、底面部２５の前縁から立ち上げられた前面部２６を有している。図１のように、継手２の底面部２５、後面部２７、及び前面部２６は、両軒樋１の底部３、後壁５、及び前壁４の夫々の内面に沿って配置される。後面部２７と前面部２６は上下方向の中途部同士が連結片部２８により連結され、これによって底面部２５、前面部２６、及び後面部２７によって構成される断面溝形状となった部分を変形し難くしている。
【００２４】
また、継手２は、前面部２６の上縁から前側に突出した溝底面構成部２９と、溝底面構成部２９の前縁よりも後方位置から上側に突出した溝後面構成部３０と、溝後面構成部３０の上縁から突出した被掛止部３１を有している。
【００２５】
溝底面構成部２９は、前面部２６の上縁から前側に突出した突片部３２と、突片部３２の前縁から立ち上げられた片状の堰部３３とで構成されている。突片部３２は前面部２６の上縁全長に亘って形成されている。突片部３２は軒樋１の突出片部６と平行であり、両軒樋１の突出片部６の内面に沿って配置される。突片部３２の上面は後方程下方に位置するように傾斜しており、突片部３２上を流れる雨水を突片部３２後側に導けるようになっている。
【００２６】
堰部３３は突片部３２の前縁全長に亘って形成されており、突片部３２から上側にわずかに突出している。堰部３３は軒樋１の立上片部７の下端部と平行であり、両軒樋１の立上片部７の下端部に沿って配置される。
【００２７】
溝後面構成部３０は突片部３２の後縁部から突出し、突片部３２の後縁部全長に亘って形成されている。溝後面構成部３０は前面部２６の上縁を上側に延ばし出した片部からなり、その傾きは前面部２６と同じである。
【００２８】
被掛止部３１は溝後面構成部３０の上縁全長に亘って形成されている。被掛止部３１は、溝後面構成部３０の上縁から後側に突出した下片部３４と、下片部３４の後縁から上側に突出した立片部３５と、立片部３５の上縁から前側に突出した上片部３６で構成され、下片部３４、立片部３５、及び上片部３６により、前方に開口する差込溝３７が形成されている。差込溝３７には両軒樋１の掛止部８が挿入され、これによって下片部３４、立片部３５、及び上片部３６は、両軒樋１の前耳部１６の下面、垂片部１５の後面、突状片部１４の上面の夫々に沿って配置される。
【００２９】
支持具１２で支持された両軒樋１を連結するには、図５（ａ）〜（ｄ）に順に示すように、隣接する両軒樋１の長手方向の端部の内側に継手２を嵌め込む。すなわち、継手２を後面部２７を下側に向けた状態で、両軒樋１の後壁５よりも前方に配置された屋根３８の前端部と、これよりも前方に配置される両軒樋１の掛止部８の間から、隣接する両軒樋１の長手方向の端部に挿入する。そしてこの際に、継手２を下側に向けた後面部２７が前方に向くように回動させながら挿入することで、両軒樋１に継手２が嵌め込まれる。なお、図５に図示される継手２は後述する第二実施形態の継手２であるが、継手２を両軒樋１に嵌め込む手順は本実施形態と同一であるため図５を用いて説明した。
【００３０】
両軒樋１に嵌め込まれた継手２は、図１のように、後面部２７の上縁部が両軒樋１の嵌込溝１１に嵌め込まれて両軒樋１の後耳部９の突起１０の後面に掛止される。また、被掛止部３１の差込溝３７に両軒樋１の掛止部８が挿入され、上片部３６及び下片部３４が両軒樋１の突状片部１４の上面及び前耳部１６の下面に掛止される。また、前述したように、底面部２５、後面部２７、前面部２６、突片部３２、及び堰部３３が、両軒樋１の底部３、後壁５、前壁４、突出片部６、立上片部７の下端部の夫々の内面に沿って配置される。
【００３１】
このように両軒樋１に継手２が嵌め込まれた状態では、両軒樋１の立上片部７は下端部を除く全体が継手２の堰部３３よりも上方に突出し、この隣接する両軒樋１の長手方向の端部における立上片部７により溝前面構成部３９が構成される。また、前記継手２の溝後面構成部３０は溝前面構成部３９の後側に隙間４１を介して配置される。さらに、溝前面構成部３９において両軒樋１の立上片部７間の境目４０の後側は、下端部のみが継手２の堰部３３によって覆われると共に、堰部３３よりも上方に突出した部分の全体が露出している。
【００３２】
そして、前記溝前面構成部３９、溝後面構成部３０、及び溝底面構成部２９の突片部３２により、溝前面、溝後面、及び溝底面の夫々が構成された排水溝４２が形成される。この排水溝４２は長手方向の両端が継手２における軒樋１長手方向における両端から開口する。
【００３３】
軒樋１の立上片部７は、屋根３８よりも屋外側となる前方に配置されると共に軒樋１の前面上端部に位置し、さらに本実施形態の立上片部７は上方程後方に位置するように傾斜している。このため、軒樋１の立上片部７の前面には雨水がかかりやすく、この雨水が両軒樋１の立上片部７間の境目４０から図１の矢印ａに示されるように軒樋１内側に侵入する恐れがある。なお、両軒樋１の立上片部７の端面同士を接着した場合も、この接着剤の経年劣化等により、雨水が両軒樋１の立上片部７間の境目４０から侵入する可能性がある。
【００３４】
ここで、本実施形態の軒樋１の連結構造にあっては、両軒樋１の立上片部７間の境目４０から軒樋１内側に侵入した場合、この雨水は排水溝４２に流れ込んだ後、排水溝４２の内面に沿って図４の矢印ｂに示す排水溝４２の長手方向の一端側又は図４の矢印ｃに示す排水溝４２の長手方向の他端側に進む。そして、この雨水は、排水溝４２の長手方向の端部開口を介して、図１又は図４の矢印ｄに示すように軒樋１の継手２が配置されていない箇所における突出片部６上に流れ込み、この後、図１又は図４の矢印ｅに示すように軒樋１の底部３側に流れ込む。なお、排水溝４２は長手方向の両端のみが開口し、排水溝４２の中途部においては継手２の底面部２５側に雨水が浸入しないようになっている。
【００３５】
以上説明した本実施形態の軒樋１の連結構造では、両軒樋１が、前壁４の上縁から前側に突出した突出片部６と、突出片部６の前縁から立ち上げられて前面が軒樋１の前面上端部を構成する立上片部７と、立上片部７の上縁から後側に突出した掛止部８を有している。また、継手２が、両軒樋１の前壁４の内面に沿う前面部２６を有している。さらに継手２は、前面部２６の上縁から前側に突出して突出片部６上に配置される溝底面構成部２９と、溝底面構成部２９の前縁よりも後方位置から上側に突出した溝後面構成部３０と、溝後面構成部３０の上縁から突出して軒樋１の掛止部８に掛止される被掛止部３１を有している。また、両軒樋１の立上片部７は継手２の溝底面構成部２９よりも上方に突出し、隣接する両軒樋１の長手方向の端部における立上片部７により溝前面構成部３９が構成され、継手２の溝後面構成部３０が溝前面構成部３９の後側に隙間４１を介して配置されている。そして、溝前面構成部３９、溝後面構成部３０、及び溝底面構成部２９により、溝前面、溝後面、及び溝底面の夫々が構成された排水溝４２が形成され、この排水溝４２の両端が継手２の軒樋１長手方向における両端部から開口している。このため、両軒樋１の立上片部７間の境目４０から侵入した雨水を排水溝４２を介して軒樋１内側に流すことができ、軒樋１の内面と継手２の外面の間に前記侵入した雨水が溜まることを防止できる。
【００３６】
また、前記溝前面構成部３９は軒樋１の前面上端部を構成する立上片部７からなる。そして、この溝前面構成部３９において両軒樋１の立上片部７間の境目４０の後側は、下端部のみが継手２の溝底面構成部２９により覆われ、溝底面構成部２９よりも上方に突出した部分全体は露出する。このため、従来のように両軒樋１の立上片部７間の境目４０から侵入した雨水が前耳が有する断面中空筒状の筒状部に溜まるといった事態が生じることがなく、両軒樋１の立上片部７間の境目４０から侵入した雨水を排水溝４２にスムーズに導くことができる。さらに、溝前面構成部３９は軒樋１の前面上端部を構成する立上片部７からなるので、溝後面構成部３０と溝前面構成部３９の間に形成される隙間４１を大きくして、排水溝４２を十分に排水できる大きさにすることができる。従って、両軒樋１の立上片部７間の境目４０から侵入した雨水が軒樋１の内面と継手２の外面の間に溜まることを確実に防止でき、この結果、雨水に含まれるごみ等が軒樋１の前面に付着して外観が低下することを効果的に防止できる。また、軒樋１と継手２の間に雨水が溜まって、この雨水が両軒樋１の突き合わせ面から染み出すと、この雨水が雨が上がった後に少しずつぽたぽたと落ちて雨漏れと勘違いされる恐れがあるが、本実施形態ではこれも防止できる。
【００３７】
また、溝底面構成部２９は、継手２の前面部２６の上縁から前側に突出して突出片部６上に配置される突片部３２と、突片部３２の前縁から両軒樋１の立上片部７の下端部内面に沿って立ち上がる堰部３３とで構成されている。そして、溝後面構成部３０が突片部３２の堰部３３よりも後方位置から上側に突出している。この場合、両軒樋１の立上片部７間の境目４０から侵入した雨水は、排水溝４２の底面を構成する突片部３２上に流れ込むことになるが、この雨水が両軒樋１の立上片部７間の境目４０の方に流れることを堰部３３により防止できる。すなわち、排水溝４２に流れ込んだ雨水が立上片部７間の境目４０から染み出すことを堰部３３により防止できる。
【００３８】
（第二実施形態）
次に上記とは異なる第二実施形態について説明する。なお、以下の説明では前記第一実施形態と同一の構成については同一の番号を付与し、重複する説明は省略する。
【００３９】
図６及び図７に示されるように、本実施形態の継手２の溝底面構成部２９は、突片部３２と、突片部３２の前縁から立ち上げられた接続片部４４と、接続片部４４の上縁から後側に突出する上突片部４５で構成されている。
【００４０】
接続片部４４は突片部３２の前縁全長に亘って形成され、両軒樋１の立上片部７の下端部内面に沿って立ち上げられている。上突片部４５は接続片部４４の上縁全長に亘って形成され、接続片部４４の上縁から後斜め下方に向けて突出し、突片部３２の後縁よりも前方に位置している。上突片部４５の上面は、後方程下方に位置するように傾斜しており、上突片部４５上を流れる雨水を上突片部４５の後側に導けるようになっている。溝後面構成部３０は上突片部４５の後縁から上側（詳しくは上斜め後方）に向けて突出し、この上縁に被掛止部３１の下片部３４が接続されている。
【００４１】
すなわち、本実施形態では、溝前面構成部３９において両軒樋１の立上片部７間の境目４０の後側は、下端部のみが継手２の接続片部４４によって覆われて、接続片部４４よりも上方に突出した部分の全体が露出している。そして、排水溝４２は、溝前面構成部３９、溝後面構成部３０、及び溝底面構成部２９の上突片部４５により構成される。
【００４２】
本実施形態でも、両軒樋１の立上片部７間の境目４０から侵入した雨水が軒樋１の内面と継手２の外面の間に溜まることを確実に防止でき、雨水に含まれるごみ等が軒樋１の前面に付着して外観が低下することを効果的にに防ぐことができる。
【００４３】
なお、本発明は前記各実施形態に限られるものではなく、本発明の主旨を逸脱しない範囲において適宜設計変更可能である。
【符号の説明】
【００４４】
１  軒樋
２  継手
４  前壁
６  突出片部
７  立上片部
８  掛止部
２６  前面部
２９  溝底面構成部
３０  溝後面構成部
３１  被掛止部
３２  突片部
３３  堰部
３９  溝前面構成部
４０  境目
４１  隙間
４２  排水溝
【図１】
0005492104.tif 000002
【図２】
0005492104.tif 000003
【図３】
0005492104.tif 000004
【図４】
0005492104.tif 000005
【図５】
0005492104.tif 000006
【図６】
0005492104.tif 000007
【図７】
0005492104.tif 000008